(57)【要約】【課題】印刷コンテンツをＦＡＸプロトコルにより送信する送信側端末から印刷コンテンツをＨＴＴＰにより受信して印刷する受信側端末に対して印刷コンテンツの送信を可能にする。【解決手段】印刷コンテンツをＦＡＸプロトコルにより送信する送信側端末であるホームゲートウェイ（ＨＧＷ）６０及びＦＡＸ装置４０と印刷コンテンツをＨＴＴＰにより受信して印刷する受信側端末である複合機３０との接続を確立した後、ゲートウェイ（ＧＷ）２０は、ＦＡＸ装置４０からＦＡＸプロトコルで用いる形式で印刷コンテンツを受信して、受信した印刷コンテンツをメモリーに記憶する（ステップＳ４３０，Ｓ４４０）。また、印刷コンテンツを要求するデータ要求をＨＴＴＰで用いる形式で複合機３０から受信すると、メモリーに記憶した印刷コンテンツをＨＴＴＰで用いる形式に変換して複合機３０に送信する処理を行う（ステップＳ４７０，Ｓ４８０）。【選択図】図３
2010251853.tif 000002
【特許請求の範囲】
【請求項１】
印刷可能な印刷コンテンツをＦＡＸプロトコルにより送信する送信側端末と、印刷コンテンツをＨＴＴＰにより受信して印刷する受信側端末と、の間で信号の変換を行うゲートウェイであって、
データを一時的に記憶可能な記憶手段と、
前記送信側端末から送信された接続要求信号の受信に基づいて、該送信側端末と前記受信側端末との接続の確立を行う接続確立手段と、
前記接続確立手段が前記接続の確立を行った後、該送信側端末から前記ＦＡＸプロトコルで用いる形式で前記印刷コンテンツを受信すると該受信した印刷コンテンツを前記記憶手段に記憶すると共に、前記印刷コンテンツを要求するコンテンツ要求を前記ＨＴＴＰで用いる形式で該受信側端末から受信すると前記記憶手段に記憶した印刷コンテンツを前記ＨＴＴＰで用いる形式に変換して該受信側端末に送信する印刷コンテンツ送受信手段と、
を備えたゲートウェイ。
【請求項２】
請求項１に記載のゲートウェイであって、
前記接続確立手段が前記接続の確立を行った後、前記印刷コンテンツ送受信手段が前記送信側端末からの前記印刷コンテンツを受信する前且つ前記受信側端末からの前記コンテンツ要求を受信する前に、前記印刷コンテンツを前記受信側端末が受信して印刷する能力以下の能力を表す所定の受信側仮能力情報を前記ＦＡＸプロトコルで用いる形式で前記送信側端末に送信し前記印刷コンテンツを該送信側端末が送信する能力である送信側能力の範囲内且つ該受信側仮能力情報で表される能力の範囲内で該送信側端末に決定され今回の印刷コンテンツの送受信で使用する能力を表す使用能力情報を前記ＦＡＸプロトコルで用いる形式で該送信側端末から受信すると共に、前記送信側能力を表す送信側能力情報を要求する能力要求を前記ＨＴＴＰで用いる形式で前記受信側端末から受信すると前記受信した使用能力情報を該送信側能力情報として前記ＨＴＴＰで用いる形式で前記受信側端末に送信する使用能力調整手段、
を備え、
前記印刷コンテンツ送受信手段は、前記使用能力情報で表される能力で前記印刷コンテンツの送信を行うよう通知する能力通知を伴う前記コンテンツ要求を前記ＨＴＴＰで用いる形式で前記受信側端末から受信すると、前記記憶手段に記憶した印刷コンテンツを前記ＨＴＴＰで用いる形式に変換して該受信側端末に送信する手段である、
ゲートウェイ。
【請求項３】
前記印刷コンテンツ送受信手段は、前記記憶手段に記憶した印刷コンテンツを前記受信側端末に送信するにあたり、前記送信側端末から印刷コンテンツの全てを受信して前記記憶手段に記憶するのを待つことなく、該記憶した印刷コンテンツを前記ＨＴＴＰプロトコルで用いる形式に順次変換して該受信側端末に送信する手段である、
請求項１又は２に記載のゲートウェイ。
【請求項４】
前記印刷コンテンツ送受信手段は、前記送信側端末から前記印刷コンテンツのうち１ページ分のデータを受信する毎に次ページのデータの有無を表す次ページ情報を該送信側端末から前記ＦＡＸプロトコルで用いる形式で受信し、前記受信側端末に前記印刷コンテンツのうち１ページ分のデータを送信する毎に前記次ページ情報を送信するよう該受信側端末から前記ＨＴＴＰで用いる形式で要求されると、前記受信した次ページ情報を前記ＨＴＴＰで用いる形式で該受信側端末に送信する手段である、
請求項３に記載のゲートウェイ。
【発明の詳細な説明】
【技術分野】
【０００１】
本発明は、ゲートウェイに関する。
【背景技術】
【０００２】
従来、電話回線やインターネットなどの通信ネットワークを介して印刷データを受信して印刷するファクシミリ（ＦＡＸ）やプリンターが接続されたパーソナルコンピューターなどが知られている。電話回線を介して印刷データを受信するＦＡＸでは、コールに対してＦＡＸである信号をもって応答し、印刷データを受信する毎に印刷したり印刷データをメモリーに記憶してから印刷したりする。インターネットを介して印刷データを受信するパーソナルコンピューターでは、印刷データをハードディスクなどの外部記憶装置に記憶し、その後、印刷用のアプリケーションを起動して外部記憶装置に記憶した印刷データを読み出して印刷する。なお、ネットワークを利用した情報の伝送に関する技術としては、下記の特許文献に記載されたものが知られている。
【先行技術文献】
【特許文献】
【０００３】
【特許文献１】特開２００５−１０９７０１号公報
【特許文献２】特開２００３−１７８０２８号公報
【特許文献３】特表２００５−５１６３２０号公報
【発明の概要】
【発明が解決しようとする課題】
【０００４】
ところで、ＩＰ（Internet Protocol）ネットワークに接続されており個別のＩＰアドレスを有するプリンター間において、パーソナルコンピューターを介さず直接ＩＰネットワークを介して印刷データの送受信を行うことが今後可能になると考えられている。このとき印刷データの送受信を行うプロトコルとしてはＨＴＴＰ(HyperText Transfer Protocol)が考えられる。一方、ＦＡＸは従来よりＩＰネットワークや公衆電話回線網（ＰＳＴＮ(Public Switched Telephone Network)）と接続して印刷データの送受信を行っているが、このときのプロトコルとしてはＦＡＸプロトコルが用いられている。そのため、例え同じネットワークに接続されていたとしても、ＦＡＸからＨＴＴＰにより印刷データの送受信を行うプリンターに対して印刷データの送信を行うことはできない。
【０００５】
本発明は、上述した課題に鑑みなされたものであり、印刷コンテンツをＦＡＸプロトコルにより送信する送信側端末から印刷コンテンツをＨＴＴＰにより受信して印刷する受信側端末に対して印刷コンテンツの送信を可能にすることを主目的とする。
【課題を解決するための手段】
【０００６】
本発明は、上述の主目的を達成するために以下の手段を採った。
【０００７】
本発明のゲートウェイは、
印刷可能な印刷コンテンツをＦＡＸプロトコルにより送信する送信側端末と、印刷コンテンツをＨＴＴＰにより受信して印刷する受信側端末と、の間で信号の変換を行うゲートウェイであって、
データを一時的に記憶可能な記憶手段と、
前記送信側端末から送信された接続要求信号の受信に基づいて、該送信側端末と前記受信側端末との接続の確立を行う接続確立手段と、
前記接続確立手段が前記接続の確立を行った後、該送信側端末から前記ＦＡＸプロトコルで用いる形式で前記印刷コンテンツを受信すると該受信した印刷コンテンツを前記記憶手段に記憶すると共に、前記印刷コンテンツを要求するコンテンツ要求を前記ＨＴＴＰで用いる形式で該受信側端末から受信すると前記記憶手段に記憶した印刷コンテンツを前記ＨＴＴＰで用いる形式に変換して該受信側端末に送信する印刷コンテンツ送受信手段と、
を備えたものである。
【０００８】
本発明のゲートウェイは、印刷可能な印刷コンテンツをＦＡＸプロトコルにより送信する送信側端末から送信された接続要求信号の受信に基づいて、送信側端末と印刷コンテンツをＨＴＴＰにより受信して印刷する受信側端末との接続の確立を行う。そして、送信側端末と受信側端末との接続を確立すると、送信側端末からＦＡＸプロトコルで用いる形式で印刷コンテンツを受信して、受信した印刷コンテンツをデータを一時的に記憶可能な記憶手段に記憶する。また、印刷コンテンツを要求するコンテンツ要求をＨＴＴＰで用いる形式で受信側端末から受信すると、記憶手段に記憶した印刷コンテンツをＨＴＴＰで用いる形式に変換して受信側端末に送信する。これにより、印刷コンテンツをＦＡＸプロトコルにより送信する送信側端末から印刷コンテンツをＨＴＴＰにより受信して印刷する受信側端末に対して印刷コンテンツの送信が可能になる。
【０００９】
本発明のゲートウェイにおいて、前記接続確立手段が前記接続の確立を行った後、前記印刷コンテンツ送受信手段が前記送信側端末からの前記印刷コンテンツを受信する前且つ前記受信側端末からの前記コンテンツ要求を受信する前に、前記印刷コンテンツを前記受信側端末が受信して印刷する能力以下の能力を表す所定の受信側仮能力情報を前記ＦＡＸプロトコルで用いる形式で前記送信側端末に送信し前記印刷コンテンツを該送信側端末が送信する能力である送信側能力の範囲内且つ該受信側仮能力情報で表される能力の範囲内で該送信側端末に決定され今回の印刷コンテンツの送受信で使用する能力を表す使用能力情報を前記ＦＡＸプロトコルで用いる形式で該送信側端末から受信すると共に、前記送信側能力を表す送信側能力情報を要求する能力要求を前記ＨＴＴＰで用いる形式で前記受信側端末から受信すると前記受信した使用能力情報を該送信側能力情報として前記ＨＴＴＰで用いる形式で前記受信側端末に送信する使用能力調整手段、を備え、前記印刷コンテンツ送受信手段は、前記使用能力情報で表される能力で前記印刷コンテンツの送信を行うよう通知する能力通知を伴う前記コンテンツ要求を前記ＨＴＴＰで用いる形式で前記受信側端末から受信すると、前記記憶手段に記憶した印刷コンテンツを前記ＨＴＴＰで用いる形式に変換して該受信側端末に送信する手段としてもよい。こうすれば、送信側能力の範囲内且つ受信側能力の範囲内で決定した使用能力で印刷コンテンツの送受信が行われるため、受信側端末が印刷コンテンツを適正に受信して印刷することができる。また、送信側端末及び受信側端末が共に接続相手の能力を取得して使用能力を決定する装置である場合でも、受信側端末の能力以下の能力を表す所定の受信側仮能力情報を使用能力調整手段が送信側端末に送信するため、送信側端末が決定した使用能力は送信側端末及び受信側端末の能力の範囲内となる。そのため、送信側端末が決定した使用能力で印刷コンテンツの送受信を行って受信側端末が印刷コンテンツを適正に受信して印刷することができる。
【００１０】
本発明のゲートウェイにおいて、前記印刷コンテンツ送受信手段は、前記記憶手段に記憶した印刷コンテンツを前記受信側端末に送信するにあたり、前記送信側端末から印刷コンテンツの全てを受信して前記記憶手段に記憶するのを待つことなく、該記憶した印刷コンテンツを前記ＨＴＴＰプロトコルで用いる形式に順次変換して該受信側端末に送信する手段としてもよい。こうすれば、印刷コンテンツを受信して記憶手段に記憶する処理と並行して、記憶した印刷コンテンツを受信側端末に送信する処理を行うため、印刷コンテンツを全て受信してから受信側端末へ送信する場合と比較して送信側端末から受信側端末への印刷コンテンツの送信が短時間で完了すると共に、記憶手段の記憶容量が小さくて済む。この場合において、前記印刷コンテンツ送受信手段は、前記送信側端末から前記印刷コンテンツのうち１ページ分のデータを受信する毎に次ページのデータの有無を表す次ページ情報を該送信側端末から前記ＦＡＸプロトコルで用いる形式で受信し、前記受信側端末に前記印刷コンテンツのうち１ページ分のデータを送信する毎に前記次ページ情報を送信するよう該受信側端末から前記ＨＴＴＰで用いる形式で要求されると、前記受信した次ページ情報を前記ＨＴＴＰで用いる形式で該受信側端末に送信する手段としてもよい。こうすれば、１ページ毎に次ページのデータの有無を適切に受信側端末に通知できる。
【図面の簡単な説明】
【００１１】
【図１】第１実施形態のゲートウェイ２０を備えた印刷システム１０の構成図。
【図２】第１実施形態のＦＡＸ装置４０と複合機３０とのシーケンスを示す説明図。
【図３】印刷コンテンツ送受信処理のシーケンスを示す説明図。
【図４】ＩＮＶＩＴＥメッセージのＳＤＰの内容の一例を示す説明図。
【図５】２００  ＯＫメッセージのＳＤＰの内容の一例を示す説明図。
【図６】送信側能力要求の内容の一例を示す説明図。
【図７】送信側能力応答の内容の一例を示す説明図。
【図８】ページ情報要求の内容の一例を示す説明図。
【図９】ページ情報応答の内容の一例を示す説明図。
【図１０】データ要求の内容の一例を示す説明図。
【図１１】次ページが無い場合のページ情報応答の内容の一例を示す説明図。
【図１２】第２実施形態のゲートウェイ１２０を備えた印刷システム１１０の構成図。
【図１３】第２実施形態のシーケンスを示す説明図。
【発明を実施するための形態】
【００１２】
［第１実施形態］
次に本発明を具現化した第１実施形態について図面を用いて説明する。図１は第１実施形態であるゲートウェイ（ＧＷ）２０を備えた印刷システム１０の構成の概略の一例を示す構成図である。図示するように、印刷システム１０は、ＧＷ２０を備えたＩＰネットワーク１１と、ホームゲートウェイ（ＨＧＷ）５０を介してＩＰネットワーク１１に接続された複合機３０と、ホームゲートウェイ（ＨＧＷ）６０を介してＩＰネットワーク１１に接続されたＦＡＸ装置４０と、を備えている。
【００１３】
ＩＰネットワーク１１は、例えば、次世代ネットワーク（NGN（Next Generation Network））として構成されており、ＧＷ２０の他にも、複合機３０やＦＡＸ装置４０などのユーザー・エージェントからのＩＰメッセージを中継する図示しないＳＩＰ（Session Initiation Protocol）プロキシー・サーバーや、ユーザー・エージェントの位置情報（例えば、ＵＲＩ（Uniform Resource Identifier）など）を記憶する図示しないロケーション・サーバーを備えている。
【００１４】
ＧＷ２０は、ＨＴＴＰで用いられるデータとＦＡＸプロトコルの１つであるみなし音声方式で用いられるデータとの間でプロトコル及びデータの変換を相互に行うことで、ＨＴＴＰにより印刷コンテンツの送受信を行う装置（例えば、複合機３０）とみなし音声方式により印刷コンテンツの送受信を行う装置（例えば、ＨＧＷ６０及びＦＡＸ装置４０）との接続及び印刷コンテンツの送受信を可能にする装置である。このＧＷ２０は、装置全体を制御する制御部２１と、制御部２１が実行する各種プログラムを記憶したり一時的にデータを記憶したりするメモリー２４と、を備えている。なお、ＧＷ２０は、ＳＩＰプロキシー・サーバーとしての機能も備えている。
【００１５】
複合機３０は、スキャナーとしても機能すると共にプリンターとしても機能する装置であり、ＩＰネットワーク１１を介してＨＴＴＰにより画像データを含む印刷コンテンツの送受信が可能な装置である。この複合機３０は、図示しないインターフェース（Ｉ／Ｆ）によりＨＧＷ５０を介してＩＰネットワーク１１のＧＷ２０と接続されている。複合機３０は、装置全体を制御する制御部３１と、文字や画像データなどを印刷する印刷実行部３２と、紙などの媒体の文字や画像などをスキャンして画像データとするスキャン実行部３３と、制御部３１が実行する各種プログラムを記憶したり印刷するためのデータを一時的に記憶したりスキャンにより得られる画像データを一時的に記憶したりするメモリー３４と、ユーザーに各種情報を表示したりユーザーからの各種指示が入力されたりする操作部３５と、メモリーカード３７が接続されたときにメモリーカード３７にデータを書き込んだりメモリーカード３７に記憶されたデータを読み込んだりするためのメモリーカードドライバー３６と、を備えている。なお、印刷実行部３２は、各色のインクに圧力をかけこの加圧されたインクを記録紙に吐出することで画像データに基づく画像を記録紙に印刷する印刷処理を実行するインクジェット方式の機構である。なお、インクへ圧力をかける機構は、圧電素子の変形によるものとしてもよいしヒーターの熱による気泡の発生によるものとしてもよい。また、スキャン実行部３３は、ガラス台に載置された書類に向かって発光したあとの反射光を各色に分解して読取データとする周知のカラーイメージセンサーを走査して原稿を読み取るスキャナー機構として構成されている。
【００１６】
ＦＡＸ装置４０は、ＦＡＸプロトコルの１つであるＩＴＵ−Ｔ (International Telecommunication Union Telecommunication Standardization Sector) 勧告のＴ．３０方式により印刷コンテンツの送受信を行うＧ３対応ＦＡＸとして構成された装置である。このＦＡＸ装置４０は、図示しないインターフェース（Ｉ／Ｆ）によりＨＧＷ６０を介してＩＰネットワーク１１のＧＷ２０と接続されている。ＦＡＸ装置４０は、装置全体を制御する制御部４１と、文字や画像データなどを印刷する印刷実行部４２と、紙などの媒体の文字や画像などをスキャンして画像データとするスキャン実行部４３と、制御部４１が実行する各種プログラムを記憶したり印刷するためのデータを一時的に記憶したりスキャンにより得られる画像データを一時的に記憶したりするメモリー４４と、ユーザーに各種情報を表示したりユーザーからの各種指示が入力されたりする操作部４５と、を備えている。なお、印刷実行部４２は、単一感光体方式と中間転写方式とを採用したフルカラーの電子写真方式の印刷装置として構成されており、各色の画像の静電潜像をトナー像として現像し、記録紙に転写し加熱溶着させるものである。スキャン実行部４３は、書類に向かって発光したあとの反射光を各色に分解して読取データとする周知のカラーイメージセンサーを走査して原稿を読み取るスキャナー機構として構成されている。
【００１７】
ＨＧＷ５０は、複合機３０とＩＰネットワーク１１との間に設置され、ルーターとしての機能やプロトコル及びデータの変換を行う機能を備える装置であり、装置全体を制御する制御部５１や、制御部５１が実行する各種プログラムを記憶したりデータを一時的に記憶したりするメモリー５４を備えている。なお、複合機３０はＨＴＴＰによりデータの送受信が可能であるため、複合機３０がＩＰネットワーク１１とデータの送受信を行うにあたり、ＨＧＷ５０はプロトコル変換を行う必要はなくデータの中継のみを行う。また、ＨＧＷ５０には、複合機３０以外にも他の機器（例えば、プリンターやＩＰ電話など）が接続されていてもよい。
【００１８】
ＨＧＷ６０は、ＦＡＸ装置４０とＩＰネットワーク１１との間に設置され、ＨＧＷ５０と同様にルーターとしての機能やプロトコル及びデータの変換を行う機能を備える装置であり、装置全体を制御する制御部６１や、制御部６１が実行する各種プログラムを記憶したりデータを一時的に記憶したりするメモリー６４を備えている。このＨＧＷ６０は、ＦＡＸ装置４０と電話回線によって接続されており、ＶｏＩＰ（Voice over Internet Protocol）ゲートウェイとしての機能を備えている。すなわち、ＨＧＷ６０は、ＦＡＸ装置４０が送受信可能なＴ．３０方式のアナログ信号とＩＰネットワークで利用可能なＦＡＸプロトコルの１つであるみなし音声方式のＩＰパケットとを相互に変換して、ＦＡＸ装置４０がＩＰネットワーク１１を介して印刷コンテンツの送受信を行えるようにしている。
【００１９】
次に、こうして構成された本実施形態のＧＷ２０の動作、特に、ＦＡＸ装置４０から複合機３０へ印刷コンテンツを送信する際のＧＷ２０の動作について説明する。図２は、ＦＡＸ装置４０と複合機３０とがＨＧＷ６０及びＧＷ２０を介して接続を確立し印刷コンテンツの送受信を行って接続を切断するまでのシーケンスを示す説明図であり、図３は、図２のシーケンスのうち実際に印刷コンテンツを送受信する印刷コンテンツ送受信処理についてのシーケンスを詳細に示した説明図である。なお、図２及び図３ではＨＧＷ５０の記載については省略しているが、実際は複合機３０とＧＷ２０とはＨＧＷ５０を介してデータの送受信を行っている。
【００２０】
ＦＡＸ装置４０から複合機３０への印刷コンテンツの送信は、ＦＡＸ装置４０のユーザーが送信したい印刷コンテンツが記載された書類をスキャン実行部４３にセットし、操作部４５を操作して送信先である複合機３０に割り当てられている固有の識別情報（例えば番号）の入力を行い、図示しない送信ボタンを押下することで開始される。ユーザーが送信ボタンを押下すると、ＦＡＸ装置４０の制御部４１は、ユーザーにより入力された識別情報に割り当てられている複合機３０と接続を確立する呼制御処理として、まず、ＨＧＷ６０に向けて発呼信号を送信する（ステップＳ１００）。そして、発呼信号を受信したＨＧＷ６０から送信される発信音（ダイヤル・トーン）をＦＡＸ装置４０が受信すると（ステップＳ１１０）、制御部４１は、ユーザーにより入力された識別情報を選択信号としてＨＧＷ６０に送信する（ステップＳ１２０）。
【００２１】
選択信号を受信したＨＧＷ６０は、ユーザーにより入力された識別情報に割り当てられている複合機３０とＳＩＰによるセッションを確立すべく、ＧＷ２０に向けてＩＮＶＩＴＥメッセージを送信する（ステップＳ１３０）。このＩＮＶＩＴＥメッセージにおけるＳＤＰ(Session Description Protocol)では、「m=」行に「audio」が記述されている。ここで、「m=」行はメディア種類やトランスポートアドレスの情報を示すものであり、「m=」行における「audio」 の記述は、みなし音声方式による印刷コンテンツの送受信を含むことを識別するものとして機能するものである。
【００２２】
このＩＮＶＩＴＥメッセージをＧＷ２０が受信すると、制御部２１は、処理中を意味する状態コードとしての「100Trying」を応答としてＨＧＷ６０に送信する（ステップＳ１４０）と共に、ＩＮＶＩＴＥメッセージのヘッダーに記述されている複合機３０固有の識別情報に基づいて複合機３０のＵＲＩを特定してこのＩＮＶＩＴＥメッセージを複合機３０に送信する（ステップＳ１５０）。なお、複合機３０固有の識別情報に基づく複合機３０のＵＲＩの特定は、例えば、ＩＰネットワーク１１のロケーション・サーバーに識別情報を送信して対応するＵＲＩを取得することにより行うことができる。
【００２３】
複合機３０がＩＮＶＩＴＥメッセージを受信すると、制御部３１は、要求失敗を意味する状態コードとしての「4xx error」を送信側であるＧＷ２０に送信する（ステップＳ１６０）。上述したように、複合機３０が受信したＩＮＶＩＴＥメッセージの「m=」行には「audio」が記述されており、送信側がみなし音声方式による印刷コンテンツの送受信を複合機３０に要求していることを表している。これに対し、複合機３０はＨＴＴＰにより印刷コンテンツの送受信を行うものであるため、この要求に応えることはできない。そのため複合機３０は「m=」行に「audio」が記述されているＩＮＶＩＴＥメッセージに対しては「4xx error」を送信するのである。
【００２４】
ＧＷ２０がこの「4xx error」を受信すると、制御部２１は、印刷コンテンツの受信側の端末がみなし音声方式による印刷コンテンツの送受信に対応していないと判定して、ステップＳ１３０で複合機３０に送信したＩＮＶＩＴＥメッセージとは異なり、「m=」行に「audio」ではなく「newprint1」が記述されているＩＮＶＩＴＥメッセージを複合機３０に送信する（ステップＳ１７０）。
【００２５】
図４はＧＷ２０がステップＳ１７０で送信するＩＮＶＩＴＥメッセージにおけるＳＤＰの内容の一例である。図４のＳＤＰはメディア記述部を構成している。図４の「m=」行では、「TCP(Transmission Control Protocol）」を用いてペイロードタイプ「newprint1」で規定されているアプリケーション(application)をポート番号「8080」で扱うことを意味している。ここで、「m=」行における「newprint1」 の記述は、ＨＴＴＰによる印刷コンテンツデータの送受信を含むことを識別するものとしても機能しており、この「newprint1」の記述により、印刷コンテンツを送信する端末がサーバー・クライアントモデルにおけるサーバーとして機能し、印刷コンテンツを受信する端末がサーバー・クライアントモデルにおけるクライアントとして機能してＨＴＴＰによる印刷コンテンツの送受信を行うものとしている。このことは、図４の「a=setup:passive」から送信側の端末であるＧＷ２０が「受動側」（サーバー）として機能することからも解る。ＳＤＰでは、「C=」行はセッションに含まれるメディアのアドレスを示す。図４の「C=」行では、「IN IP xxx.xxx.xxx.xxx」と記述することにより送信側であるＦＡＸ装置４０のＩＰアドレスが「xxx.xxx.xxx.xxx」であることが解る。また、図４の最終行の「a=」行の「newprint/capability.xml」 の記述は、セッションが確立した後の印刷コンテンツを受信する端末からの最初の要求先のＵＲＬである。この記述により、サーバー・クライアントモデルにおけるクライアントとして機能する受信側の端末が最初にＧＷ２０に対して要求する能力要求のＵＲＬを取得することができるようになっている。
【００２６】
このステップＳ１７０のＩＮＶＩＴＥメッセージを複合機３０が受信すると、制御部３１は、ＨＴＴＰによる印刷コンテンツの送受信を行うためにＳＩＰによるセッションを確立するべく、呼び出し中を意味する状態コードとしての「180Ringing」を応答としてＧＷ２０に送信する（ステップＳ１８０）。続いて、これを受信したＧＷ２０の制御部２１は、ＨＧＷ６０に「180Ringing」を送信し（ステップＳ１９０）、ＨＧＷ６０の制御部６１は、呼び出し中を意味する呼出音をＦＡＸ装置４０に送信する（ステップＳ２００）。一方、複合機３０の制御部３１は、ステップＳ１８０の「180Ringing」を送信すると、セッション確立の準備を行った後、セッションを確立するための呼び出しに対する成功を意味する状態コードとしての「200 OK」をＧＷ２０に送信し（ステップＳ２１０）、これを受信したＧＷ２０の制御部２１は「200 OK」をＨＧＷ６０に送信する（ステップＳ２２０）。
【００２７】
図５はＧＷ２０がステップＳ２１０で受信する「200 OK」のメッセージにおけるＳＤＰの内容の一例である。図６の「m=」行では、「TCP」を用いてペイロードタイプ「newprint1」で規定されているアプリケーション（application）をポート番号「3180」で扱うことを意味している。また、図５の「newprint1」及び「a=setup:active」 から、印刷コンテンツの受信側（ここでは複合機３０）が「能動側」（クライアント）として機能してＨＴＴＰによる印刷コンテンツの送受信を行うことを表していることが解る。これに対し、ステップＳ２２０でＧＷ２０が送信する「200 OK」は、みなし音声方式による印刷コンテンツの送受信を行う際のＳＩＰによるセッションの確立で用いられるものであり、「m=」行には「newprint1」ではなく「audio」が記述されている。
【００２８】
ＨＧＷ６０がステップＳ２２０の「200 OK」を受信すると、制御部６１は、ＦＡＸ装置４０に応答信号を送信する（ステップＳ２３０）と共に、ＩＮＶＩＴＥメッセージに対する最終応答の受信確認として状態コードとしての「ACK」をＧＷ２０に送信し（ステップＳ２４０）、ＧＷ２０の制御部２１は受信した「ACK」を複合機３０に転送する（ステップＳ２５０）。以上のステップＳ１００〜Ｓ２５０の呼制御処理により、ＧＷ２０は、みなし音声方式による印刷コンテンツの送受信を行うためのセッションをＳＩＰによりＨＧＷ６０と確立するとともに、ＨＴＴＰによる印刷コンテンツの送受信を行うためのセッションをＳＩＰにより複合機３０と確立することになる。
【００２９】
上述した呼制御処理が終了すると、ＦＡＸ装置４０の制御部４１は、ＦＡＸ通信の準備を行うＦＡＸ通信開始処理として、まず、ＦＡＸ通信の開始を要求する「CNG(calling tone）」をＨＧＷ６０に送信する（ステップＳ２６０）。そして、ＨＧＷ６０の制御部６１は受信した「CNG」をＧＷ２０に転送し（ステップＳ２７０）、「CNG」を受信したＧＷ２０の制御部２１はＦＡＸ通信を開始できる旨を伝える「CED(called terminal identification）」をＨＧＷ６０に送信し（ステップＳ２８０）、ＨＧＷ６０の制御部６１は受信した「CED」をＦＡＸ装置４０に送信する（ステップＳ２９０）。以上のステップＳ２６０〜Ｓ２９０のＦＡＸ通信開始処理は、みなし音声方式及びＴ．３０方式で規定されている処理であり、通常は送信側の端末が「CNG」を送信し受信側の端末が応答として「CED」を送信することにより行われるものである。複合機３０はＨＴＴＰにより印刷コンテンツの送受信を行う装置でありこのＦＡＸ通信開始処理は行わないため、ＧＷ２０が「CNG」を受信して「CED」を送信するのである。このＦＡＸ通信開始処理により、ＦＡＸ装置４０がＦＡＸ通信を行う準備が整う。
【００３０】
ＦＡＸ通信開始処理が終了すると、ＧＷ２０の制御部２１は、今回の印刷コンテンツの送受信で使用する能力を調整するための能力調整処理として、まず、印刷コンテンツを受信側の端末が受信して印刷する能力としての受信側仮能力情報や受信側の端末の通信速度としての仮通信速度情報を含む「DIS(digital identification signal)」をＨＧＷ６０に送信する（ステップＳ３００）。この「DIS」は６４ビットの情報であり、受信側仮能力情報としては、受信及び印刷が可能な画像データのサイズ、画像データの解像度、ｔｉｆｆやｊｐｅｇなど印刷コンテンツを生成する符号化種別、カラー，モノクロなどの色種別、が含まれている。ここでは、受信側仮能力情報で表される能力は、画像データのサイズがＡ４，Ｂ５、解像度が２００×２００ｄｐｉ、符号化種別がｔｉｆｆ，色種別がカラー，モノクロ、であり、仮通信速度情報で表される通信速度は１４．４ｋビット／秒であるものとした。なお、この受信側仮能力情報及び仮通信速度情報は、予めメモリー２４に記憶されている。この「DIS」をＨＧＷ６０が受信すると、制御部６１は、受信した「DIS」をＦＡＸ装置４０に送信する（ステップＳ３１０）。
【００３１】
ＦＡＸ装置４０がステップＳ３１０「DIS」を受信すると、制御部４１は、ＦＡＸ装置４０が印刷コンテンツを送信する能力である送信側能力の範囲内及び「DIS」に含まれる受信側仮能力情報で表される能力の範囲内で、今回の印刷コンテンツの送受信で使用する使用能力を決定する（ステップＳ３２０）。具体的には、送信側能力と受信側仮能力とに共に含まれる最大の能力を使用能力に決定する。本実施形態では、ＦＡＸ装置４０の送信側能力は、画像データのサイズがＡ４，Ｂ５、解像度が２００×２００ｄｐｉ、符号化種別がｔｉｆｆ，色種別がカラー，モノクロ、である。そのため、画像データのサイズはＡ４，解像度は２００×２００ｄｐｉ，符号化種別はｔｉｆｆ，色種別はカラー、が使用能力として決定される。なお、例えば、ＦＡＸ装置４０の送信能力のうち色種別がモノクロであれば、送信側能力がモノクロで受信側仮能力がカラー，モノクロであるので、両方に含まれる最大の能力であるモノクロを使用能力に決定することになる。続いて、制御部４１は、ＦＡＸ装置４０の通信速度の範囲内及び「DIS」に含まれる仮通信速度情報で表される通信速度の範囲内で、今回の印刷コンテンツの送受信で使用する通信速度を決定する（ステップＳ３３０）。本実施形態では、ＦＡＸ装置４０の通信速度は９．６ｋビット／秒である。そのため、９．６ｋビット／秒と仮通信速度情報で表される１４．４ｋビット／秒とを比較して、９．６ｋビット／秒を今回使用する通信速度に決定する。
【００３２】
そして、使用能力及び使用する通信速度を決定すると、制御部４１は、使用能力を表す使用能力情報及び決定した通信速度を表す通信速度情報を含む「DCS(digital command signal)」をＨＧＷ６０に送信して決定した使用能力及び通信速度を通知する（ステップＳ３４０）。この「DCS」をＨＧＷ６０が受信すると、制御部６１は、受信した「DCS」をＧＷ２０に送信する（ステップＳ３５０）。これにより、ＧＷ２０は今回の印刷コンテンツの送受信でＦＡＸ装置４０が使用する能力及び通信速度を知ることができる。
【００３３】
一方、複合機３０の制御部３１は、呼制御処理が終了すると、能力調整処理として、ＧＷ２０に送信側能力要求を送信する（ステップＳ３６０）。この送信側能力要求は、印刷コンテンツを送信側の端末が送信する能力を表す送信側能力情報を複合機３０へ送信する旨の要求である。図６は、送信側能力要求の内容の一例を示す説明図である。送信側能力要求の０１行には「要求」を示すコマンド「GET」及びステップＳ１７０でＧＷ２０から受信したＩＮＶＩＴＥメッセージに記述されていた最初の要求先のＵＲＬである「newprint/capability.xml」が記述されている。また、０２行はステップＳ１７０でＧＷ２０から受信したＩＮＶＩＴＥメッセージから得られるＦＡＸ装置４０のＩＰアドレスであり、０３行はＸＭＬのテキストを受け付ける意である。なお、このステップＳ３６０の送信側能力要求の送信は、呼制御処理の終了以降であれば行うことが可能であるため、例えば、ＦＡＸ通信開始処理を行っている間にステップＳ３６０の処理を行ってもよい。
【００３４】
そして、ＧＷ２０がステップＳ３５０の「DCS」及びステップＳ３６０の送信側能力要求を受信すると、制御部２１は、「DCS」に含まれる使用能力情報で表される能力を送信側能力とし、この送信側能力を表す送信側能力情報を含む送信側能力応答を複合機３０に送信する（ステップＳ３７０）。
【００３５】
図７は、送信側能力応答の一例を示す説明図である。送信側能力応答の０１行は要求に対して成功を意味する「200 OK」であり、０２行は内容の種別がＸＭＬのテキストであることを意味し、０３行は長さを表す。そして、送信側能力情報は０８行〜４０行に記述されており、この例からは、送信可能な画像サイズ（１０行の「MediaSize」）はＡ４サイズ（１４行）であり、解像度（１９行の「PrintQuality」）は２００×２００ｄｐｉ（２１行）であり、符号化種別（２７行の「DocumentFormat」）はｔｉｆｆ（２９行の「img/tiff」）であり、色種別（３３行の「MonoColor」）はカラー（３５行）であることが解る。すなわち、ステップＳ３５０で受信した使用能力情報で表される能力をそのまま送信側能力として複合機３０に送信している。また、この送信側能力応答の４２行には、次に印刷コンテンツの受信側からページ情報要求する際のＵＲＬ（「newprint/capability1.xml」）が記述されている。このＵＲＬは、ステップＳ１７０で制御部２１が送信したＩＮＶＩＴＥメッセージにおけるＳＤＰで記述したＦＡＸ装置４０のＩＰアドレス「xxx.xxx.xxx.xxx」（図６では０２行の「HOST:xxx.xxx.xxx.xxx」）からの相対アドレスとなっている。さらに、４３行には、ステータス変更情報を受け取るためのＵＲＬ（「newprint/event/」）が記述されている。このステータス変更情報を受け取るためのＵＲＬは、印刷コンテンツの受信側が正常とは異なる状態、例えば受信した印刷コンテンツを印刷する際に紙詰まりが生じたときなどにＧＷ２０が複合機３０から情報を受け取るためのＵＲＬである。
【００３６】
複合機３０がステップＳ３７０の送信側能力応答を受信すると、制御部３１は、送信側能力応答に含まれる送信側能力情報で表される送信側能力の範囲内及び印刷コンテンツを複合機３０が受信して印刷する能力である受信側能力の範囲内で、今回の印刷コンテンツの送受信で使用する使用能力を決定する（ステップＳ３８０）。本実施形態では、複合機３０の受信側能力は、画像サイズがＡ３，Ｂ４，Ａ４，Ｂ５サイズ、解像度は２００×２００ｄｐｉ，３００×３００ｄｐｉ，４００×４００ｄｐｉ、符号化種別はｔｉｆｆ、色種別はカラー，モノクロである。したがって、複合機３０の受信側能力は、送信側能力応答に含まれる送信側能力情報で表される送信側能力と同じかそれ以上となっており、制御部３１は送信側能力をそのまま使用能力に決定することになる。
【００３７】
以上のステップＳ２６０〜Ｓ３８０で能力調整処理は終了する。ここで、みなし音声方式及びＴ．３０方式では、受信側の端末が受信側能力情報を送信し、送信側の端末が使用能力を決定して受信側の端末に通知することになっている。一方、「newprint1」で規定されたＨＴＴＰによる印刷コンテンツの送受信を行うときには、受信側の端末がサーバー・クライアントモデルにおけるクライアントとして機能するため、受信側の端末が送信側能力要求を行って送信側能力情報を取得し、受信側の端末が使用能力を決定することになっている。そのため、ＦＡＸ装置４０が送信側の端末であり複合機３０が受信側の端末である場合には、ＦＡＸ装置４０及び複合機３０が共に相手の能力を取得して使用能力を決定しようとする。そこで、ＧＷ２０はまず予めメモリー２４に記憶された受信側仮能力をＦＡＸ装置４０に送信し、ＦＡＸ装置４０に使用能力を決定させている。そして、決定した使用能力をＦＡＸ装置４０からＧＷ２０が受信して、使用能力を送信側能力として複合機３９０に送信し、複合機３０にも使用能力を決定させている。これにより、ＦＡＸ装置４０及び複合機３０のプロトコルを共に満足させることができる。また、ＧＷ２０は、受信側仮能力として、複合機３０の受信側能力以下の能力を予めメモリー２４に記憶している。これは、例えば、一般的な複合機が備えている最低限の能力を受信側仮能力として記憶しておくものとしてもよいし、予め複合機３０固有の識別情報と複合機３０との受信側能力を対応づけてメモリー２４に記憶しているものとしてもよい。こうすることで、ＦＡＸ装置４０が決定した使用能力は複合機３０の送信側能力の範囲内になるため、ステップＳ３２０でＦＡＸ装置４０に決定される使用能力とステップＳ３８０で複合機３０に決定される使用能力とを同じ能力にすることができる。なお、みなし音声方式及びＴ．３０方式では、受信側の端末が受信側能力情報の他に受信側の通信速度情報も送信し、印刷コンテンツを送受信する通信速度についても送信側の端末が決定することになっている。しかし「newprint1」で規定されたＨＴＴＰにおいては、通信速度の決定は行わないため、ＧＷ２０は予め記憶した仮通信速度情報を「DIS」に含めてステップＳ３００でＨＧＷ６０に送信し、ＦＡＸ装置４０に今回使用する通信速度を決定させている。仮通信速度情報で表される通信速度は、一般的なＦＡＸ装置の通信速度と同等の通信速度としてもよいし、送信側の端末の最大の通信速度が今回使用する通信速度に決定されるよう、一般的なＦＡＸ装置の中で最も早い通信速度としてもよい。
【００３８】
上述した能力調整処理が終了すると、ＦＡＸ装置４０の制御部４１は、ＦＡＸ装置４０とＧＷ２０との間の通信回線の状況を確認する回線状況確認処理として、まず、トレーニング信号である「TCF(training check)」をステップＳ３３０で決定した今回使用する通信速度でＨＧＷ６０に送信する（ステップＳ３９０）。そして、ＨＧＷ６０の制御部６１は受信した「TCF」をＧＷ２０に転送し（ステップＳ４００）、ＧＷ２０の制御部２１は受信した「TCF」に１ビットもエラーがなければ、エラーがない旨を伝える信号である「CFR(confirmation to receive)」をＨＧＷ６０に送信し（ステップＳ４１０）、ＨＧＷ６０の制御部６１は受信した「CFR」をＦＡＸ装置４０に送信する（ステップＳ４２０）。このステップＳ３９０〜Ｓ４２０の回線状況確認処理により、ステップＳ３３０で通知した通信速度で通信が可能であることが確認でき、以降の印刷コンテンツの送受信をこの通信速度で行うことが決定される。この回線状況確認処理は、みなし音声方式及びＴ．３０方式で規定されている処理であり、通常は送信側の端末と受信側の端末との間で行われるものである。複合機３０はＨＴＴＰにより印刷コンテンツの送受信を行う装置でありこの回線状況確認処理は行わないため、ＧＷ２０が受信側の端末としての「TCF」の受信や「CFR」の送信を行うのである。なお、図２では図示していないが、ステップＳ４００でＧＷ２０が受信した「TCF」にエラーがあるときには、制御部２１はエラーがある旨を伝える信号である「FTT(failure to train)」をＨＧＷ６０を介してＦＡＸ装置４０に送信し、ＦＡＸ装置４０の制御部４１は通信速度を１段階下げて再度「TCF」をＨＧＷ６０に送信することになる。そして、通信速度を順次下げて「TCF」と「FTT」の送受信を繰り返し、ＧＷ２０から「CFR」を受信したときの通信速度が今回使用する通信速度として最終的に決定される。
【００３９】
回線状況確認処理が終了すると、ＦＡＸ装置４０の制御部４１は、印刷コンテンツをＦＡＸ装置４０から複合機３０へ送信する印刷コンテンツ送受信処理として、ステップＳ３２０で決定した使用能力且つＴ．３０方式で用いる形式で１ページ分の印刷コンテンツデータを作成し回線状況確認処理で決定した通信速度でＨＧＷ６０に送信する（ステップＳ４３０（図３参照））。なお、１ページ分の印刷コンテンツデータは、呼制御処理の前にＦＡＸ装置４０のユーザーがセットした書類をスキャン実行部４３に１ページ分読み取らせることで作成する。そして、ＨＧＷ６０は、ステップＳ４３０でＦＡＸ装置４０から送信された１ページ分の印刷コンテンツデータを受信し順次みなし音声方式で用いるＩＰパケットに変換してＧＷ２０に送信し（ステップＳ４４０）、ＧＷ２０は、ＦＡＸ装置４０からこの印刷コンテンツデータを順次受信してメモリー２４に記憶する。
【００４０】
一方、能力調整処理が終了すると、複合機３０の制御部３１は、印刷コンテンツ送受信処理として、ステップＳ３７０の送信側能力応答に記述されたＵＲＬ（図７の４２行の「newprint/capability1.xml」）を用いてページ情報要求をＧＷ２０に送信する（ステップＳ４５０）。そして、ページ情報要求を受信したＧＷ２０の制御部２１は、ページ情報応答を複合機３０に送信する（ステップＳ４６０）。ページ情報要求の一例を図８に示す。ページ情報要求の０１行に記載された「newprint/capability1.xml」は図７の能力応答の４２行の「newprint/capability1.xml」と同一であることが解る。ページ情報応答の一例を図９に示す。ページ情報応答の０９行には１ページ目の印刷コンテンツデータのＵＲＬ「newprint/scanprint.tiff」が記述されており、１０行には印刷コンテンツにおける次のページのＵＲＬ「newprint/capability2.xml」が記述されているのが解る。複合機３０の制御部３１は、ＧＷ２０からのページ情報応答を受信すると、このページ情報応答に印刷コンテンツデータのＵＲＬや印刷コンテンツにおける次のページのＵＲＬがあれば、これらのＵＲＬを取得する。
【００４１】
続いて、複合機３０の制御部３１は、ステップＳ４６０で受信したページ情報応答の０９行に記述されたＵＲＬ（図９のページ情報応答の０９行の「newprint/scanprint.tiff」）を用いて、印刷コンテンツデータを送信するよう要求するデータ要求をＧＷ２０に送信する（ステップＳ４７０）。このデータ要求の一例を図１０に示す。データ要求の０１行に記述された「newprint/scanprint.tiff」は図９のページ情報応答の０９行の「newprint/scanprint.tiff」と同一であることが解る。また、このデータ要求には能力調整処理のステップＳ３８０で制御部３１が決定した使用能力の通知が伴っている。具体的には図１０のデータ要求の０１行に記述された「MediaSize=iso_A4_210x297mm」が画像データのサイズはＡ４であることを表し、「PrintQuality=200×200」が解像度は２００×２００ｄｐｉであることを表し、「DocumentFormat=img/tiff」が符号化種別はｔｉｆｆであることを表し、「MonoColor=color」が色種別はカラーであることを表している。このデータ要求を送信することにより、複合機３０は、決定した使用能力で印刷コンテンツデータを送信するようＧＷ２０に要求を行うのである。
【００４２】
そして、ステップＳ４７０のデータ要求を受信したＧＷ２０の制御部２１は、ステップＳ４４０で受信してメモリー２４に記憶した印刷コンテンツデータをＨＴＴＰで用いる形式に変換したデータを含むデータ応答を作成し、複合機３０に送信する（ステップＳ４８０）。なお、ステップＳ４４０でＧＷ２０が受信する印刷コンテンツデータは、みなし音声方式で用いる形式のＩＰパケットに分割された状態でＨＧＷ６０から順次送信される。このため、制御部２１は、１ページ分の印刷コンテンツデータを全て受信してメモリー２４に記憶する処理と並行して、順次記憶した印刷コンテンツデータをＨＴＴＰで用いる形式に変換してデータ応答を作成し、複合機３０に順次送信するステップＳ４８０の処理を行うことができる。そして、複合機３０の制御部３１は、ステップＳ４８０のデータ応答を受信して、データ応答に含まれる印刷コンテンツデータをメモリー３４に記憶すると共に、メモリー３４に記憶した印刷コンテンツデータを印刷するよう印刷実行部３２を制御する。
【００４３】
一方、ＦＡＸ装置４０の制御部４１は、ステップＳ４３０における１ページ分の印刷コンテンツデータの送信が全て終了し、且つ、印刷コンテンツの次のページがあると判定すると、次ページが有ることを表す信号である「MPS(multipage signal)」をＨＧＷ６０に送信する（ステップＳ４９０）。なお、次のページの有無は、例えば、スキャン実行部４３にセットされたスキャン未実施の書類があるか否かで判定する。ＨＧＷ６０の制御部６１は、ステップＳ４４０における１ページ分の印刷コンテンツデータの送信が全て終了し、且つステップＳ４９０の「MPS」を受信すると、ＧＷ２０に「MPS」を送信して次ページが有ることを伝える（ステップＳ５００）。「MPS」を受信したＧＷ２０の制御部２１はステップＳ４４０におけるＨＧＷ６０からの印刷コンテンツデータの受信が完了した旨を通知する「MCF(message confirmation)」をＨＧＷ６０に送信する（ステップＳ５１０）。なお、このステップＳ５１０の処理は、データ応答を作成して複合機３０に送信するステップＳ４８０の処理が全て終了するのを待って行うものとしてもよい。そして、「MCF」を受信したＨＧＷ６０の制御部６１は、ＦＡＸ４０に「MCF」を送信する（ステップＳ５２０）。
【００４４】
以上のステップＳ４３０〜Ｓ５２０により１ページ分の印刷コンテンツデータをＦＡＸ装置４０から複合機３０へ送信するページ送受信処理が終了する。以降は、印刷コンテンツの最終ページの１ページ前の送受信が完了するまでステップＳ４３０〜Ｓ５２０のページ送受信処理を繰り返す。なお、２回目以降のページ送受信処理のステップＳ４５０においてページ情報要求の０１行に記述されるＵＲＬは、ステップＳ３７０で受信した送信側能力応答に記述されたＵＲＬではなく、受信した最も新しいページ情報応答の１０行に記述された印刷コンテンツにおける次のページのＵＲＬとなる。そして、印刷コンテンツの最終ページのページ送受信処理では、図３に示すようにステップＳ５３０〜Ｓ５８０についてはステップＳ４３０〜Ｓ４８０と同様の処理であるが、ＦＡＸ装置４０の制御部４１は、ステップＳ５３０における１ページ分の印刷コンテンツデータの送信が全て終了すると、印刷コンテンツの次のページが無いと判定して、次ページが無いことを表す信号である「EOP(end of procedure)」をＨＧＷ６０に送信する（ステップＳ５９０）。続いて、ＨＧＷ６０は受信した「EOP」をＧＷ２０に送信して次ページが無いことを伝え（ステップＳ６００）、「MPS」を受信したＧＷ２０の制御部２１はステップＳ５４０におけるＨＧＷ６０からの印刷コンテンツデータの受信が完了した旨を通知する「MCF」をＨＧＷ６０に送信する（ステップＳ６１０）。そして、「MCF」を受信したＨＧＷ６０の制御部６１は、ＦＡＸ装置４０に「MCF」を送信する（ステップＳ６２０）。以上のステップＳ５３０〜Ｓ６２０により最終ページのページ送受信処理が終了する。ただし、複合機３０は、まだステップＳ５８０で受信した印刷コンテンツデータの次ページの有無を通知されていないため、ステップＳ４５０，Ｓ５５０と同様にページ情報要求をＧＷ２０に送信する（ステップＳ６３０）。そして、ページ情報要求を受信したＧＷ２０の制御部２１は、次ページが無いことを表すページ情報応答を複合機３０に送信する（ステップＳ６４０）。このページ情報応答の一例を図１１に示す。図１１では、ページ情報応答の０９行の「none」及び１０行の「none」から印刷コンテンツデータのＵＲＬも次のページのＵＲＬもないことが解る。このようなページ情報応答を受信した複合機３０の制御部３１は、ページ情報応答の０９行に印刷コンテンツデータのＵＲＬが記述されていないため次のページが無いと判定する。
【００４５】
以上のステップＳ４３０〜Ｓ６４０により、印刷コンテンツ送受信処理が終了する。この印刷コンテンツ送受信処理においても、能力調整処理と同様に、ＧＷ２０がみなし音声方式における受信側の端末として機能してＦＡＸ装置４０から印刷コンテンツの受信を行うと共に、ＧＷ２０がサーバー・クライアントモデルにおけるサーバーとして機能してクライアントとしての複合機３０へＨＴＴＰによる印刷コンテンツの送信を行っている。
【００４６】
印刷コンテンツ送受信処理が終了すると、ＦＡＸ装置４０の制御部４１は、接続を終了する呼切断処理として、ＨＧＷ６０に対して通信の切断を通知する「DCN(disconnect)」を送信し（ステップＳ６５０）、ＨＧＷ６０の制御部６１は受信した「DCN」をＧＷ２０に送信する（ステップＳ６６０）。続いて、ＦＡＸ装置４０の制御部４１は、ステップＳ６５０の「DCN」を送信した後に切断信号をＨＧＷ６０に送信する（ステップＳ６７０）。そして、切断信号を受信したＨＧＷ６０の制御部６１はＧＷ２０にセッションを終了するための状態コードとしての「BYE」を送信し（ステップＳ６８０）、「BYE」を受信したＧＷ２０の制御部２１が「200 OK」をＨＧＷ６０に送信することで（ステップＳ６９０）、ＦＡＸ装置４０との接続が終了する。また、印刷コンテンツ送受信処理が終了すると、複合機３０の制御部３１は、呼切断処理として、ＧＷ２０に「BYE」を送信し（ステップＳ７００）、「BYE」を受信したＧＷ２０の制御部２１が「200 OK」を複合機３０に送信することで（ステップＳ７１０）、複合機３０との接続が終了する。
【００４７】
ここで、第１実施形態の構成要素と本発明の構成要素との対応関係を明らかにする。第１実施形態のＦＡＸ装置４０及びＨＧＷ６０が本発明の送信側端末に相当し、複合機３０が受信側端末に相当し、ＧＷ２０がゲートウェイに相当し、メモリー２４が記憶手段に相当し、呼制御処理を実行する制御部２１が接続確立手段に相当し、印刷コンテンツ送受信処理を行う制御部２１が印刷コンテンツ送受信手段に相当し、能力調整処理を行う制御部２１が使用能力調整手段に相当する。また、みなし音声方式がＦＡＸプロトコルに相当する。
【００４８】
以上詳述した第１実施形態では、ＧＷ２０の制御部２１が、ＨＧＷ６０から送信されたＩＮＶＩＴＥメッセージの受信に基づいて、ＨＧＷ６０及びＦＡＸ装置４０と複合機３０との接続の確立をＳＩＰにより行う。そして、接続を確立すると、ＦＡＸ装置４０及びＨＧＷ６０からみなし音声方式で用いる形式で印刷コンテンツを受信して、受信した印刷コンテンツをメモリー２４に記憶する。また、印刷コンテンツデータを要求するデータ要求をＨＴＴＰで用いる形式で複合機３０から受信すると、メモリー２４に記憶した印刷コンテンツデータをＨＴＴＰで用いる形式に変換して複合機３０に送信する。これにより、印刷コンテンツをみなし音声方式により送信するＦＡＸ装置４０及びＨＧＷ６０から印刷コンテンツをＨＴＴＰにより受信して印刷する複合機３０に対して印刷コンテンツの送信が可能になる。また、ＧＷ２０の制御部２１が複合機３０の受信側能力以下の能力である受信側仮能力情報を含む「DIS」をＦＡＸ装置４０に送信して能力調整処理を行うことで、ＦＡＸ装置４０に使用能力を決定させると共に、複合機３０からの送信側能力要求を受信すると、ＦＡＸ装置４０から受信した使用能力を送信側能力として複合機３０に送信する送信側能力応答を行う。そのため、送信側能力の範囲内且つ受信側仮能力の範囲内でＦＡＸ装置４０が決定した使用能力と、使用能力の範囲内且つ受信側能力の範囲内で複合機３０が決定した能力とが同じ能力になり、この使用能力でＦＡＸ装置４０から複合機３０に印刷コンテンツを適正に送信して複合機３０に印刷させることができる。さらに、ステップＳ４４０，Ｓ５４０の印刷コンテンツデータを受信してメモリー２４に記憶する処理と並行して、記憶した印刷コンテンツデータを複合機３０に送信するステップＳ４８０，Ｓ５８０の処理を行うため、印刷コンテンツを全て受信してから複合機３０へ送信する場合と比較してＦＡＸ装置４０から複合機３０への印刷コンテンツの送信が短時間で完了すると共に、メモリー２４の記憶容量が小さくて済む。さらにまた、ステップＳ４４０，Ｓ５４０でＦＡＸ装置４０及びＨＧＷ６０から印刷コンテンツのうち１ページ分のデータを受信する毎に、ステップＳ５００，Ｓ６００で次ページのデータの有無を表す「MPS」又は「EOP」をＦＡＸ装置４０及びＨＧＷ６０からみなし音声方式で用いる形式で受信し、ステップＳ４８０，Ｓ５８０で複合機３０に印刷コンテンツのうち１ページ分のデータを送信する毎にページ情報応答を送信するよう複合機３０からＨＴＴＰで用いる形式で要求されると、受信した「MPS」又は「EOP」に基づく次ページの有無を表す情報を含むページ情報応答をＨＴＴＰで用いる形式で複合機３０に送信するため、１ページ毎に次ページのデータの有無を適切に複合機３０に通知できる。
【００４９】
［第２実施形態］
次に、第２実施形態について説明する。図１２は、第２実施形態であるゲートウェイ（ＧＷ）１２０を備えた印刷システム１１０の構成の概略の一例を示す構成図である。なお、印刷システム１１０の構成要素のうち、印刷システム１０と同じものについては同じ符号を付し、その説明を省略する。
【００５０】
図１２に示すように、印刷システム１１０は、ＧＷ１２０及びＳＩＰプロキシー・サーバー１２２を備えたＩＰネットワーク１１１と、ＧＷ１２０と接続され交換機１５２を備えたＰＳＴＮ（Public Switched Telephone Networks）１５０と、を備えている。また、複合機３０はＨＧＷ５０を介してＩＰネットワーク１１１に接続され、ＦＡＸ装置４０はＨＧＷを介さずにＰＳＴＮ１５０に接続されている。
【００５１】
ＩＰネットワーク１１１は、ＩＰネットワーク１１と同様、例えば、次世代ネットワーク（NGN （Next Generation Network））として構成されており、ＧＷ１２０及びＳＩＰプロキシー・サーバー１２２の他にも、ＩＰメッセージを中継する図示しないＳＩＰプロキシー・サーバーや、ユーザー・エージェントの位置情報を記憶する図示しないロケーション・サーバーを備えている。
【００５２】
ＧＷ１２０は、プロトコル及びデータの変換を行うことで、ＩＰネットワーク１１１とＰＳＴＮ１５０の間のデータのやり取りを可能にする装置である。具体的には、ＨＴＴＰで用いられるデータとＦＡＸプロトコルの１つであるＴ．３０方式で用いられるデータとの間でプロトコル及びデータの変換を相互に行って、ＨＴＴＰにより印刷コンテンツの送受信を行う装置（例えば、複合機３０）とＴ．３０方式により印刷コンテンツの送受信を行う装置（例えば、ＦＡＸ装置４０）との接続及び印刷コンテンツの送受信を可能にする。このＧＷ１２０は、装置全体を制御する制御部１２１と、制御部１２１が実行する各種プログラムを記憶したり一時的にデータを記憶したりするメモリー１２４と、を備えている。なお、ＧＷ１２０は、第１実施形態と異なりＳＩＰプロキシー・サーバーとしての機能は備えていないものとした。
【００５３】
ＳＩＰプロキシー・サーバー１２２は、ＩＰネットワーク１１１に接続されたユーザー・エージェント間のＳＩＰによる接続の確立や切断を行う装置である。このＳＩＰプロキシー・サーバー１２２は、複合機３０と接続されており、複合機３０とＧＷ１２０との間でＩＰメッセージの中継を行うことが可能な装置である。
【００５４】
ＰＳＴＮ１５０は、公衆電話回線網として構成されており、交換機１５２の他にも図示しない他の交換機を複数備えている。交換機１５２は、ＰＳＴＮ１５０に接続されたＦＡＸ装置間や電話機間で接続を確立して通信を可能にする装置であり、ＧＷ１２０とＦＡＸ装置４０との間でＴ．３０方式のデータの中継を行うことが可能である。
【００５５】
次に、こうして構成された本実施形態のＧＷ１２０の動作、特に、ＦＡＸ装置４０から複合機３０へ印刷コンテンツを送信する際のＧＷ１２０の動作について説明する。図１３は、ＦＡＸ装置４０と複合機３０とが交換機１５２及びＧＷ１２０を介して接続を確立し印刷コンテンツの送受信を行って接続を切断するまでのシーケンスを示す説明図である。なお、このシーケンスの各処理のうち、第１実施形態において図２を用いて説明したシーケンスと同じ処理については、同じステップ番号を付し、その説明を省略する。また、図１３ではＨＧＷ５０及びＳＩＰプロキシー・サーバー１２２の記載については省略しているが、実際は複合機３０とＧＷ１２０とはＳＩＰプロキシー・サーバー１２２及びＨＧＷ５０を介してデータの送受信を行っている。
【００５６】
ＦＡＸ装置４０から複合機３０への印刷コンテンツの送信は、第１実施形態と同様に、ＦＡＸ装置４０のユーザーによって開始され、ＦＡＸ装置４０と交換機１５２との間で上述したステップＳ１００〜Ｓ１２０の処理を行う。そして、ステップＳ１２０の選択信号を受信した交換機１５２は、呼び出し中を意味する呼出音をＦＡＸ装置４０に送信する（ステップＳ８００）と共に、受信した選択信号（ＦＡＸ装置４０のユーザーに入力された複合機３０固有の識別情報）に基づいて、受信側の端末がＰＳＴＮ１５０ではなくＩＰネットワーク１１１に接続された端末であると判定して、ＧＷ１２０に呼出信号を送信する（ステップＳ８１０）。
【００５７】
呼出信号を受信したＧＷ１２０の制御部１２１は、みなし音声方式で用いる「m=」行に「audio」が記述されたＩＮＶＩＴＥメッセージをＳＩＰプロキシー・サーバー１２２に送信し、ＳＩＰプロキシー・サーバー１２２がＩＮＶＩＴＥメッセージのヘッダーに記述されている複合機３０固有の識別情報に基づいて複合機３０のＵＲＩを特定してこのＩＮＶＩＴＥメッセージを複合機３０に送信する（ステップＳ１５０）。すると、複合機３０はみなし音声方式には対応していないため制御部３１が「4xx error」をＧＷ１２０に送信し（ステップＳ１６０）、ＧＷ１２０がこの「4xx error」 を受信すると、制御部１２１は第１実施形態と同様に「m=」行に「audio」ではなく「newprint1」が記述されているＩＮＶＩＴＥメッセージを複合機３０に送信する（ステップＳ１７０）。なお、ＧＷ１２０が送信するＩＮＶＩＴＥメッセージの「C=」行には、第１実施形態では送信側であるＦＡＸ装置４０のＩＰアドレスを記述していたが、第２実施形態ではＦＡＸ装置４０はＩＰネットワーク１１１に接続されていないため、ＧＷ２０が任意のＩＰアドレス（例えば、ＧＷ２０のＩＰアドレス）を記述するものとしてもよい。
【００５８】
続いて、ステップＳ１７０のＩＮＶＩＴＥメッセージを複合機３０が受信すると、制御部３１は、「180Ringing」を応答としてＧＷ１２０に送信し（ステップＳ１８０）、セッション確立の準備を行った後、「200OK」をＧＷ１２０に送信する（ステップＳ２１０）。そして、ＧＷ１２０の制御部１２１は、「200OK」を複合機３０から受信すると、応答信号を交換機１５２に送信する（ステップＳ８２０）と共に「ACK」を複合機３０に送信する（ステップＳ２５０）。一方、応答信号をＧＷ１２０から受信した交換機１５２はＦＡＸ装置４０に応答信号を送信する（ステップＳ２３０）。以上の呼制御処理により、ＧＷ１２０は、Ｔ．３０方式による印刷コンテンツの送受信を行うための接続を交換機１５２を介してＦＡＸ装置４０と確立するとともに、ＨＴＴＰによる印刷コンテンツの送受信を行うためのセッションをＳＩＰにより複合機３０と確立することになる。
【００５９】
以降のＦＡＸ通信開始処理，能力調整処理，回線状況確認処理，印刷コンテンツ送受信処理については、ＧＷ１２０がＨＧＷ６０ではなく交換機１５２を介してＦＡＸ装置４０とデータの送受信を行う点と、ＧＷ１２０と交換機１５２との間でやり取りされるデータがみなし音声方式ではなくＴ．３０方式で用いる形式のデータである点と、が第１実施形態と異なるのみであり、処理の手順やデータの表す内容は同じである。そのためこれらの処理については説明を省略するとともに、印刷コンテンツ送受信処理については図示を省略する。
【００６０】
そして、印刷コンテンツ送受信処理が終了すると、呼切断処理として、第１実施形態と同様にステップＳ６５０〜Ｓ６７０の処理が行われ、ステップＳ６７０の切断信号を受信した交換機１５２はＧＷ１２０に切断信号を送信する（ステップＳ８３０）と共に話中音を流し（ステップＳ８４０）、これを受けたＧＷ１２０の制御部１２１が終話信号を交換機１５２に送信する（ステップＳ８５０）。これによりＦＡＸ装置４０との接続が終了する。また、印刷コンテンツ送受信処理が終了すると、複合機３０の制御部３１は、第１実施形態と同様に呼切断処理として、ＧＷ２０に「BYE」を送信し（ステップＳ７００）、「BYE」を受信したＧＷ２０の制御部２１が「200OK」を複合機３０に送信することで（ステップＳ７１０）、複合機３０との接続が終了する。
【００６１】
ここで、第２実施形態の構成要素と本発明の構成要素との対応関係を明らかにする。第２実施形態のＦＡＸ装置４０が本発明の送信側端末に相当し、複合機３０が受信側端末に相当し、ＧＷ１２０がゲートウェイに相当し、メモリー１２４が記憶手段に相当し、呼制御処理を実行する制御部１２１が接続確立手段に相当し、印刷コンテンツ送受信処理を行う制御部１２１が印刷コンテンツ送受信手段に相当し、能力調整処理を行う制御部１２１が使用能力調整手段に相当する。また、Ｔ．３０方式がＦＡＸプロトコルに相当する。
【００６２】
以上詳述した第２実施形態でも、第１実施形態と同様の効果を得ることができる。すなわち、印刷コンテンツをＴ．３０方式により送信するＦＡＸ装置４０及びＨＧＷ６０から印刷コンテンツをＨＴＴＰにより受信して印刷する複合機３０に対して印刷コンテンツの送信が可能になる効果や、制御部１２１が能力調整処理を行うことでＦＡＸ装置４０から複合機３０に印刷コンテンツを使用能力により適正に送信して複合機３０に印刷させることができる効果や、印刷コンテンツを全て受信してから複合機３０へ送信する場合と比較してＦＡＸ装置４０から複合機３０への印刷コンテンツの送信が短時間で完了すると共にメモリー２４の記憶容量が小さくて済む効果や、１ページ毎に次ページのデータの有無を適切に複合機３０に通知できる効果を得ることができる。
【００６３】
なお、本発明は上述した実施形態に何ら限定されることはなく、本発明の技術的範囲に属する限り種々の態様で実施し得ることはいうまでもない。
【００６４】
例えば、上述した実施形態では、ＧＷ２０，１２０は、複合機３０からのページ情報要求に対して、０９行に印刷コンテンツデータの１ページ単位のＵＲＬを記述したページ情報応答を送信するものとしたが、ページ単位のＵＲＬではなく印刷コンテンツ全体を取得するためのＵＲＬを記述してもよい。この場合、例えば、ＦＡＸ装置４０からＧＷ２０への印刷コンテンツデータの送信は上述したように１ページ単位で行って順次メモリー２４，１２４に記憶するものとし、ＧＷ２０から複合機３０への印刷コンテンツの送信は１回のデータ要求に対するデータ応答として行うものとしてもよい。
【００６５】
上述した実施形態では、印刷コンテンツ送受信処理において、ＧＷ２０，１２０は、ステップＳ４４０，Ｓ５４０で受信した１ページ分の印刷コンテンツデータを受信してメモリー２４に記憶する処理と並行して、順次記憶した印刷コンテンツデータをＨＴＴＰで用いる形式に変換してデータ応答を作成し複合機３０に順次送信するステップＳ４８０，Ｓ５８０の処理を行うものとしたが、ステップＳ４４０，Ｓ５４０の受信が全て完了してから、ステップＳ４８０，５８０の処理を行うものとしてもよい。
【００６６】
上述した実施形態では、ＧＷ２０，１２０は、使用能力を決定する能力調整処理を行ったあと印刷コンテンツ送受信処理を行っているが、ＧＷ２０，１２０がこのような能力調整処理を行わなくてもよい。
【００６７】
上述した実施形態では、ＧＷ２０，１２０は、複合機３０に１ページ分の印刷コンテンツデータを含むデータ応答を送信するものとしたが、１ページ分を複数回に分けて送信するものとしてもよい。例えば、複合機３０が１回のデータ応答で要求するデータ長を表す情報をデータ要求に付加してＧＷ２０，１２０に送信するものとしてもよい。この場合、データ要求及びデータ応答の送受信を複数回行って１ページ分の印刷コンテンツデータをＧＷ２０，１２０が送信することになる。このようにすれば、複合機３０の印刷実行部３２の印刷速度やメモリー３４の空き容量に応じて、複合機３０が適切なデータ長を指定して印刷コンテンツデータを受信することができる。
【００６８】
上述した第１実施形態のＧＷ２０はＳＩＰプロキシー・サーバーの機能を備えているものとしたが、ＳＩＰプロキシー・サーバーの機能を備えていないものとしてもよい。この場合、例えば、ステップＳ１３０〜Ｓ１６０の処理ではＧＷ２０の代わりにＳＩＰプロキシー・サーバーがＨＧＷ６０と複合機３０とのデータの中継を行い、ステップＳ１６０の「4xx error」をＳＩＰプロキシー・サーバーが受信すると、以降の処理ではみなし音声方式とＨＴＴＰ方式とのデータ及びプロトコルの変換が可能なＧＷ２０にＨＧＷ６０と複合機３０と間でデータ及びプロトコルの変換を行うよう指示し、ステップＳ１７０以降の処理は上述した第１実施形態と同様にして行うものとすればよい。このようにしても、第１実施形態と同様の効果を得ることができる。また、第２実施形態のＧＷ１２０がＳＩＰプロキシー・サーバーの機能を備えているものとしてもよい。さらに、ＧＷ２０，１２０は、受信した複合機３０固有の識別情報に基づいて複合機３０がみなし音声方式とＨＴＴＰとのいずれで印刷コンテンツの送受信を行う装置であるかを判定できるものとしてもよい。この判定は、例えば、ロケーション・サーバーに識別情報を送信して対応するＵＲＩを取得する際にそのＵＲＬで特定される装置がいずれのプロトコルにより印刷コンテンツの送受信を行う装置であるかを表す情報を取得し、取得した情報により行うものとしてもよい。さらにまた、ＧＷ２０，１２０はＳＩＰプロキシー・サーバーの機能に加えてロケーション・サーバーの機能を備えており、装置固有の識別情報とその装置のＵＲＩとその装置がＨＴＴＰとＦＡＸプロトコルとのいずれの方式で印刷コンテンツデータの送受信を行うかの情報とを対応づけて記憶しているものとしてもよい。こうすれば、識別情報で特定される装置がいずれのプロトコルで印刷コンテンツデータの送受信を行うかをＧＷ２０，１２０のみで判定できる。
【００６９】
上述した実施形態では、複合機３０はスキャン実行部３３及びメモリーカードドライバー３６を備えるものとしたが、ＨＴＴＰにより印刷コンテンツデータを受信して印刷することができればどのような装置であってもよく、これらの一部又は全部を備えないものとしてもよい。
【００７０】
上述した第１実施形態では、ＦＡＸ装置４０がＨＧＷ６０を介してみなし音声方式によりＧＷ２０と印刷コンテンツデータの送受信を行うものとしたが、ＦＡＸ装置４０自体がみなし音声方式による印刷コンテンツデータの送受信可能な装置であってもよい。その場合、ＨＧＷ６０は無くてもよいし、データの中継のみを行ってもよい。
【００７１】
上述した実施形態では、ＧＷ２０がみなし音声方式とＨＴＴＰとの間でプロトコル及びデータの変換を行い、ＧＷ１２０がＴ．３０方式とＨＴＴＰとの間でプロトコル及びデータの変換を行うものとしたが、印刷可能な印刷コンテンツをＦＡＸプロトコルにより送信する送信側端末と、印刷コンテンツをＨＴＴＰにより受信して印刷する受信側端末と、の間で信号の変換を行うものであれば、どのようなゲートウェイでもよい。例えば、Ｔ．３０方式で印刷コンテンツの送受信を行うＧ１，Ｇ２，ＳｕｐｅｒＧ３のいずれかに対応したＦＡＸ装置と複合機３０との間で信号の変換を行うものとしてもよい。また、みなし音声方式及びＴ．３０方式以外の他のＦＡＸプロトコルとＨＴＴＰとの間で信号の変換を行うものとしてもよい。他のＦＡＸプロトコルとしては、例えば、Ｔ３８方式（リアルタイム方式）やＧ４対応のＦＡＸ装置のプロトコルが挙げられる。これらのプロトコルは、データの形式が異なっても処理の手順及びデータの内容はみなし音声方式やＴ．３０方式と同様であるため、上述したＧＷ２０，１２０と同様にして本発明のゲートウェイを適用することができる。
【００７２】
上述した第１実施形態では、ＩＰネットワーク１１の中にＧＷ２０があるものとしたが、ＩＰネットワーク１１の外にあるものとしてもよい。例えば、ＨＧＷ５０又はＨＧＷ６０がＳＩＰプロキシー・サーバーとしての機能を除くＧＷ２０の機能を備えているものとしてもよい。このようにしても、上述した第１実施形態と同様の効果を得ることができる。
【符号の説明】
【００７３】
１０，１１０  印刷システム、１１，１１１  ＩＰネットワーク、２０，１２０  ゲートウェイ（ＧＷ）、２１，１２１  制御部、２４，１２４  メモリー、３０  複合機、３１  制御部、３２  印刷実行部、３３  スキャン実行部、３４  メモリー、３５  操作部、３６  メモリーカードドライバー、３７  メモリーカード、４０  ＦＡＸ装置、４１  制御部、４２  印刷実行部、４３  スキャン実行部、４４  メモリー、４５  操作部、５０，６０  ホームゲートウェイ（ＨＧＷ）、５１，６１  制御部、５４，６４  メモリー、１２２  ＳＩＰプロキシー・サーバー、１５０  ＰＳＴＮ、１５２  交換機。
【図１】
2010251853.tif 000003
【図２】
2010251853.tif 000004
【図３】
2010251853.tif 000005
【図４】
2010251853.tif 000006
【図５】
2010251853.tif 000007
【図６】
2010251853.tif 000008
【図７】
2010251853.tif 000009
【図８】
2010251853.tif 000010
【図９】
2010251853.tif 000011
【図１０】
2010251853.tif 000012
【図１１】
2010251853.tif 000013
【図１２】
2010251853.tif 000014
【図１３】
2010251853.tif 000015